【手続補正書】
【提出日】平成24年9月25日(2012.9.25)
【手続補正１】
【補正対象書類名】明細書
【補正対象項目名】全文
【補正方法】変更
【補正の内容】
【発明の詳細な説明】
【発明の名称】遮断器
【技術分野】
【０００１】
本発明は、スイッチヘッドと一緒にスイッチレバーを倒すことにより、少なくとも２つの電気的接点を切り替えることができるように配置されたスイッチヘッドおよびスイッチレバーを有する遮断器に関するものである。
【背景技術】
【０００２】
このようなトグルスイッチは、数多く設計および構造方式があり、例えば電位差計などの調整エレメントが知られている。
【０００３】
また、その他に、プッシュスイッチと調整エレメントとから構成される組み合わせも知られている。
【０００４】
しかしながら、この組み合わせは、遮断器を２つの状態の間でしか切り替えることができないという問題点を有する。
【発明の概要】
【発明が解決しようとする課題】
【０００５】
本発明は、調整エレメントと組み合わせても、複数のスイッチ状態間で切替可能な遮断器を提供することを目的とする。
【課題を解決するための手段】
【０００６】
この課題は、請求項１に記載された遮断器によって解決される。また、好ましい他の形態は請求項２ないし請求項１４に記載されている。
【０００７】
本発明の遮断器は、スイッチヘッドと一緒にスイッチレバーを倒すことにより、少なくとも２つの電気的接点が切替可能に配置されたスイッチヘッドおよびスイッチレバーを有する。その他にスイッチレバーは、発明に則って、切替シャフトと、切替シャフトの回転の間ずっと調整可能になるように切替シャフトに接続された少なくとも１つの調整エレメントとを備える。
【０００８】
本発明の遮断器は、トグルスイッチのスイッチレバーと、調整エレメントのための切替シャフトとを組み合わせている。
【０００９】
その場合、切替シャフトは、スイッチレバーの一部であってもよい。また、スイッチレバー自体を切替シャフトにすることもできる。
【００１０】
スイッチヘッドにより切り替えられる電気的接点は、公知の方法で実現でき、必要に応じて、当業者が適切な電気的接点を選択できる。
【００１１】
調整エレメントとして、例えば電気的または機械的調整エレメントなど、数多くの様々な技術的解決策が考えられる。このような調整エレメントとした場合、例えばバルブなどの問題に適用できる。
【００１２】
本発明の遮断器によって、非常に狭い空間に、沢山の機能のための操作エレメントを配置可能になる。これは配置スペースの節約に繋がるだけでなく、明らかに操作も容易にでき、また、操作に必要な時間を短縮できる。その上、遮断器の機能性が明らかに向上し、使用に際しての融通性を向上できる。
【００１３】
本発明の遮断器は、スイッチレバーが切替シャフトとなり、また、この切替シャフトが特にボールシートを介して回転および傾倒可能なように、保持ソケット内に固定されて形成されることが好ましい。このため、切替シャフトは、ボールシートの中に受け入れられる球形の太くなった部分を有する構成にしてもよい。
【００１４】
このような請求項２に記載された構成により、簡単で材料を節約した構造方式が可能となる。
【００１５】
切替シャフトがスイッチレバーの一部である場合は、請求項３に記載されたように、スイッチレバーの外側の部分がボールシートの中に受け入れられる球形の太くなった部分を有する構成にすることができる。
【００１６】
しかし、切替シャフトが、例えば回転できるように軸受に取り付けられたスイッチレバーの内側の部分であれば、スイッチレバーの外側の部分が、回転および傾倒できないように軸受に取り付けられていなければならない。この場合、切替シャフトはスイッチレバー内で回転可能なように軸受に取り付けられているので、スイッチレバーの外側の部分の傾倒可能性が確保されていれば十分である。
【００１７】
特に、請求項４に記載されたように、切替シャフトが、回転可能にスイッチヘッドを通って延ばされるとともに、特にスイッチヘッドにて回転可能に軸受に取り付けられる。このような構成にするため、スイッチヘッドは、簡単な穴を有する構成にしてもよい。また、軸受、特にボールベアリングを備えた構成にもできる。
【００１８】
このような構成は、切替シャフトの回転に際し、スイッチヘッドが切替シャフトとともに回転しないようにでき、電気的接点の切替が適切に行えるので好ましい。
【００１９】
請求項５に記載されように、調整エレメントが少なくとも部分的にスイッチヘッドの内部に配置され、かつ、強固にスイッチヘッドに結合される構成が好ましい。
【００２０】
このように配置することにより、配置スペースを節約できる。
【００２１】
好ましくは、請求項６に記載されたように、スイッチヘッドは、スイッチヘッドの全ての回転が切替シャフトの回転軸に対し平行に阻止されるようにリテーナに案内されている。
【００２２】
また、請求項７に記載されたように、スイッチヘッドは、エッジが面取りされた四角形状の横断面を有する構成が好ましい。
【００２３】
リテーナは、スイッチヘッドの案内のため、例えば曲形の突出部、レールまたはガイドプレートを有する構成にしてもよい。
【００２４】
このような構成にすることにより、スイッチヘッドおよび切替シャフトを正確に傾倒でき、かつ、切替シャフトの回転とともにスイッチヘッドが回転しないように、スイッチヘッドの動作を制御できる。
【００２５】
また、このように設計することにより、電気的接点の切替をより正確に行うことができ、かつ、調整エレメントがその他の手はず無しにスイッチヘッドに固定でき、また、切替シャフトの回転に対しスイッチヘッドが回転せずに保持され、それによって、切替シャフトの回転の間ずっと調整エレメントの調整が可能になるので特に好ましい。
【００２６】
さらに好ましくは、請求項８に記載されたように、保持ソケットがリテーナに固定され、この保持ソケットは、例えばケーシングに固定するための固定手段を有する構成である。
【００２７】
さらに好ましくは、請求項９に記載されたように、少なくとも１つの調整エレメントのスイッチ装着のための電線路を有するとともに、この電線路が少なくとも２つの電気的接点の切替を妨げないようにリテーナに固定されている構成である。
【００２８】
必要に応じてさらに好ましいのは、請求項１０に記載されたように、少なくとも１つの調整エレメントを電気的調整エレメントとして設計することや、請求項１１に記載されたように、電位差計として設計することである。
【００２９】
請求項１２に記載されたように、少なくとも２つの互いに絶縁されたスイッチフラグを有する構成が特に好ましい。このようなスイッチフラグは、電気的接点を形成するために使用できる。このスイッチフラグは、例えば金属薄板の切片などで形成される。
【００３０】
電気的接点を形成するためにスイッチフラグを使用することにより、このようなスイッチフラグは簡単に形成できるとともに、その融通性に基づいて特に信頼性が高い接点を形成できるので特に好ましい。
【００３１】
特に、請求項１３に記載されたように、リテーナの両側にそれぞれ少なくとも１つの互いに絶縁されたスイッチフラグが設けられている。また、特に、請求項１４に記載されたようにリテーナの両側にそれぞれ２つの互いに絶縁したスイッチフラグが設けられた構成や、請求項１５に記載されたようにリテーナに対しても絶縁したスイッチフラグが設けられた構成が好ましい。
【００３２】
このような構成では、さらに、スイッチヘッドとそれぞれ１つのスイッチフラグとの間に電気的接点を形成できる。リテーナの両側に、それぞれ２つのスイッチフラグが配置されていれば、例えばスイッチヘッドを介してそれぞれ２つのスイッチフラグを重ねて押圧することによっても電気的接点を形成できる。
【００３３】
特に、請求項１６に記載されたように、スイッチヘッドは、少なくとも部分的に伝導力があるように形成され、また、リテーナとスイッチヘッドとは電気的に接続されている。このような構成では、電気的接点は、スイッチヘッドが例えばスイッチフラグに接触するだけで形成できる。このような構成において、複数のスイッチフラグが直列に配置されていれば、複数の接点段階を実現できる。その場合、最初の接点段階は、スイッチヘッドを最初のスイッチフラグに対して当接させて、電気的接点がスイッチヘッドと最初のスイッチフラグとの間に形成されることにより形成できる。第２のスイッチ段階では、例えば、最初のスイッチフラグに対して当接されているスイッチヘッドが、最初のスイッチフラグをその後のスイッチフラグに対して当接させることができる。
【００３４】
このようにして例えば抵抗カスケードを切り替えることができる。
【００３５】
その場合、請求項１７に記載されたように、リテーナとスイッチヘッドとの間の電気的接点は、摺動接点を介して形成できる。また、リテーナとスイッチヘッドとの間に固定のケーブルを配設する構成にしてもよい。
【００３６】
請求項１８に記載されたように、リテーナおよび少なくとも１つのスイッチフラグの少なくともいずれか一方は、少なくとも１つの電気的導体が固定された固定手段を有していれば、特に好ましい。
【００３７】
しかしながら必要に応じては、請求項１９に記載されたように、スイッチヘッドの少なくとも一部を電気的に絶縁して形成し、また、少なくとも３つのスイッチフラグを備え、スイッチレバーを倒す際に、そのうちの２つがスイッチヘッドを通して共に電気的接点となる構成が好ましいこともある。このような構成は、スイッチヘッドがデッドであるという利点を有する。このように、切替シャフトまたはスイッチレバーをその後の絶縁措置を施す必要なしに、電位なしに維持することも簡単にできる。
【００３８】
請求項２０に記載されたように、少なくとも２つのスイッチフラグに、少なくとも１つの電気的導体が固定された固定手段をそれぞれ設ける構成が、特に好ましい。
【発明の効果】
【００３９】
本発明によれば、スイッチヘッドと、このスイッチヘッドとともに倒すことが可能なスイッチレバーを備え、スイッチレバーは、切替シャフトと、この切替シャフトに接続され切替シャフトの回転により調整可能な少なくとも１つの調整エレメントを備えるため、調整エレメントと組み合わせても、複数のスイッチ状態間で切替可能である。
【図面の簡単な説明】
【００４０】
【図１】本発明の一実施の形態に係る遮断器を示す斜視図である。
【図２】同上遮断器の分解した状態を示す斜視図である。
【発明を実施するための形態】
【００４１】
以下、本発明の一実施の形態の構成について、図面を参照しながら説明する。
【００４２】
その他の利点、変更および好ましい形態は、図を用いて描写された設計事例から明らかである。この設計事例および図は、純水に模範的でかつ図式的なものであり、決してこの発明を制限するものではない。
【００４３】
図１は、そのうちのそれぞれ２つがリテーナ７の一側面に位置決めされた８つのスイッチフラグ８を有する本発明の遮断器を示す。スイッチフラグ８は、互いに絶縁されるとともにリテーナ７に対しても絶縁されている。リテーナ７には、遮断器を例えばケーシングに固定するための固定手段を有する保持ソケット５が固定されている。また、保持ソケット５を通して、回転および傾倒可能な切替シャフト１が延ばされている。切替シャフト１を倒すために、保持ソケット５には、対応する溝が設けられている。リテーナ７の内側および保持ソケット５の下側では、スイッチヘッド３を識別できる。スイッチヘッド３の内側には、スイッチヘッド３に固定された調整エレメントとしての電位差計４が配置されている。この電位差計４は、切替シャフト１と接続している。
【００４４】
リテーナ７は、スイッチヘッド３が確実に傾倒可能である一方、切替シャフトの軸を中心に回転できないようにスイッチヘッド３を導くガイドエレメント９を備えている。
【００４５】
そして、ガイドエレメント９は曲形の突出部で実現される。
【００４６】
図１には、電位差計４の電気的接続部およびリード線が示されていない。
【００４７】
スイッチヘッド３は、スイッチレバーとしても使われる切替シャフト１の作動によって動かされ、まず、内部スイッチフラグ８の１つに当接し、そして、接続部において、内部スイッチフラグ８の１つを対応する外部スイッチフラグ８に押し付け、その内部スイッチフラグ８と外部スイッチフラグ８との間に、電気的接点を確立する。
【００４８】
このような実施の形態では、２つの異なる電気的接点を切り替えることができる。その他に、切替シャフト１の回転によって電位差計４を調整できる。
【００４９】
各スイッチフラグ８、その間に位置する絶縁体、およびリテーナ７のそれぞれに設けられた穴が、個々のエレメントをしっかり固定するために、止めピンまたは螺子の保持用に使用される。但し、これらによって遮断器を固定できる。
【００５０】
図２に示された解説図からは、本発明の遮断器の構成を読み取ることができる。
【００５１】
リテーナ７の右側および左側には、まず絶縁体６と、次にそれぞれ１つの内部スイッチフラグ８と、続いてその他の絶縁体６と、外部スイッチフラグ８とが配置されていることを識別できる。
【００５２】
切替シャフト１は、ボールシート中の保持ソケット５において回転および傾倒ができるように、それと一緒に固定されている球形の太くなった部分２を有する。切替シャフト１の球形の太くなった部分２より基端側は、回転可能な状態で、スイッチヘッド３の上側を通って電位差計４の内部まで延びでいる。電位差計４のケーシングは、部分的にスイッチヘッド３内に収容されて固定される。そして、切替シャフト１がスイッチヘッド３に対し回転させられると、電位差計４が調整される。
【００５３】
保持ソケット５はリテーナ７で固定されている。
【００５４】
リテーナ７は、スイッチヘッド３のためのガイドエレメント９を有しており、それにより、専らボールシートまたは球形の太くなった部分２を中心にスイッチヘッド３を傾倒できる一方、スイッチヘッド３を切替シャフト１の軸に沿って回転させることはできない。
【００５５】
上記実施の形態では、比較のため、本発明の遮断器の簡単な構成を抽出しているが、この発明によって可能になった長所を明確に示している。さらなる発展と変更は、設定された課題に応じて当業者が簡単に設計できる。特に、切替可能な電気的接点の数は、当業者により、簡単に設定された課題に合わせることができる。
【符号の説明】
【００５６】
１    切替シャフト
３    スイッチヘッド
４    調整エレメントとしての電位差計
５    保持ソケット
７    リテーナ
８    スイッチフラグ
【手続補正２】
【補正対象書類名】特許請求の範囲
【補正対象項目名】全文
【補正方法】変更
【補正の内容】
【特許請求の範囲】
【請求項１】
倒すことが可能なスイッチレバーと、このスイッチレバーを倒すことによりスイッチレバーとともに倒れるスイッチヘッドとを備え、このスイッチヘッドが倒れることにより、少なくとも２つの電気的接点が切替可能となるように調整される遮断器であって、
スイッチレバーは、切替シャフトと、この切替シャフトに接続され切替シャフトの回転により調整可能な少なくとも１つの調整エレメントを有する
ことを特徴とする遮断器。
【請求項２】
切替シャフトが回転可能かつ傾倒可能に固定された保持ソケットを備える
ことを特徴とする請求項１記載の遮断器。
【請求項３】
切替シャフトは、ボールシートを介して保持ソケット内に回転可能かつ傾倒可能に固定されている
ことを特徴とする請求項２記載の遮断器。
【請求項４】
切替シャフトは、回転可能にスイッチヘッドを通って延び、スイッチヘッドに対して回転可能に固定されている
ことを特徴とする請求項１ないし３のいずれか記載の遮断器。
【請求項５】
少なくとも１つの調整エレメントは、少なくとも部分的にスイッチヘッドの内部に配置されるようにスイッチヘッドに固定されている
ことを特徴とする請求項１ないし４のいずれか記載の遮断器。
【請求項６】
切替シャフトの回転にともなってスイッチヘッドが回転しないようにスイッチヘッドの回転を阻止するリテーナを備える
ことを特徴とする請求項１ないし５のいずれか記載の遮断器。
【請求項７】
スイッチヘッドは、エッジが面取りされた四角形状の横断面を有する
ことを特徴とする請求項６記載の遮断器。
【請求項８】
保持ソケットは、リテーナに固定されており、固定するための固定手段を有する
ことを特徴とする請求項６または７記載の遮断器。
【請求項９】
スイッチレバーの傾倒と、少なくとも２つの電気的接点の切替とを妨げないようにリテーナに固定され、少なくとも１つの調整エレメントのスイッチを装着するための電線路を備える
ことを特徴とする請求項６ないし８のいずれか記載の遮断器。
【請求項１０】
少なくとも１つの調整エレメントは、電気的調整エレメントである
ことを特徴とする請求項１ないし９のいずれか記載の遮断器。
【請求項１１】
少なくとも１つの調整エレメントは、電位差計である
ことを特徴とする請求項１ないし１０のいずれか記載の遮断器。
【請求項１２】
少なくとも２つの互いに絶縁されたスイッチフラグを備える
ことを特徴とする請求項１ないし１１のいずれか記載の遮断器。
【請求項１３】
リテーナの両側にそれぞれ少なくとも１つずつ配置され、互いに絶縁されたスイッチフラグを備える
ことを特徴とする請求項１ないし１２のいずれか記載の遮断器。
【請求項１４】
スイッチフラグは、リテーナの両側にそれぞれ２つ配置されている
ことを特徴とする請求項１２または１３記載の遮断器。
【請求項１５】
スイッチフラグは、リテーナに対して絶縁されている
ことを特徴とする請求項１２ないし１４のいずれか記載の遮断器。
【請求項１６】
リテーナは、電気的にスイッチヘッドに接続されており、
スイッチヘッドは、少なくとも一部に伝導力を有し、
この伝導力を有する部分に少なくとも１つのスイッチフラグが接触することにより電気的接点が形成される
ことを特徴とする請求項１ないし１５のいずれか記載の遮断器。
【請求項１７】
リテーナは、摺動接点を介して電気的にスイッチヘッドに接続されている
ことを特徴とする請求項１６記載の遮断器。
【請求項１８】
リテーナおよび少なくとも１つのスイッチフラグの少なくともいずれか一方は、少なくとも１つの電気的導体が固定された固定手段を有する
ことを特徴とする請求項１６または１７記載の遮断器。
【請求項１９】
少なくとも３つのスイッチフラグを備え、
スイッチヘッドは、少なくとも一部が電気的に絶縁されており、
スイッチレバーを傾倒させると、スイッチフラグのうちの少なくとも２つがスイッチヘッドを通して共に電気的接点となる
ことを特徴とする請求項１ないし１８のいずれか記載の遮断器。
【請求項２０】
少なくとも２つのスイッチフラグは、それぞれ少なくとも１つの電気的導体が固定された固定手段を有する
ことを特徴とする請求項１９記載の遮断器。